(57)【要約】      （修正有）【課題】キャップ本体に薄肉ヒンジ片で連結された蓋体を閉じたときにパチンと閉まることなく、ソフトにしめることが出来きると共に、外側に膨出しているヒンジ片をガード出来るようにした、合成樹脂製キャップのヒンジ構造を提供する。【解決手段】キャップ本体は、円筒状の外筒と注出部とよりなり、蓋体は、キャップ本体と同じ円筒状の外筒と内面に注出部を密閉する突起部とよりなり、ヒンジ部は、キャップ本体と蓋体の外筒の合わせ面に、中央のヒンジ片から外方に向かって、蓋体を閉じたときの形状が、断面半円状で外観が鼓形に広がっている薄肉のヒンジ片とよりなり、外側に断面半円状に膨出しているヒンジ片の外方をガードする突出部を、キャップ本体と蓋体の外筒の合わせ面に設けた。【選択図】図２
2006240730.tif 000002
【特許請求の範囲】
【請求項１】
キャップ本体と蓋体とヒンジ部とからなる合成樹脂製キャップのヒンジ構造であって、
キャップ本体は、円筒状の外筒と注出部とよりなり、
蓋体は、キャップ本体と同じ円筒状の外筒と内面に注出部を密閉する突起部とよりなり、
ヒンジ部は、キャップ本体と蓋体の外筒の合わせ面に、中央のヒンジ片から外方に向かって、蓋体を閉じたときの形状が、断面半円状で外観が鼓形に広がっている薄肉のヒンジ片とよりなり、
外側に断面半円状に膨出しているヒンジ片の外方をガードする突出部を、前記したキャップ本体と蓋体の外筒の合わせ面に設けたことを特徴とする合成樹脂製キャップのヒンジ構造。
【請求項２】
ガードする突出部を肉厚に形成し、全体的に角の取れた丸みのある形状に設けたことを特徴とする請求項１記載の合成樹脂製キャップのヒンジ構造。
【発明の詳細な説明】
【技術分野】
【０００１】  本発明は、安全性を図った合成樹脂製キャップのヒンジ構造に関する。
【背景技術】
【０００２】  従来の合成樹脂製キャップのヒンジ構造は、所謂、三点ヒンジタイプのものが多く、キャップを閉めるとパチンと閉まりキャップ本体と蓋の合わせ面に付着していた内容物が飛散し、特に卓上で使用する場合など洋服を汚す恐れ等の問題があった。（例えば、特許文献１参照）【０００３】  また、露出しているヒンジ部分により指等を怪我することもあったので、ヒンジ部を特許文献１のようにガードするものもあったが、両外側のヒンジ片はガードしても、どうしても内側のヒンジ帯の部分において、蓋とヒンジ間に段部が生じるので、その段部により指を怪我する等の問題があった。【０００４】  また、前記したヒンジによる引っ掛かりを解消するために、所謂、蝶々ヒンジといわれるタイプのものが数多く市場にて見受けられるが、依然としてパチンと閉まるので、キャップ本体と蓋の合わせ面に付着した内容物が飛散し洋服を汚す等の問題があった。（例えば、特許文献２参照）
【特許文献１】実開平２−８７７６３号公報
【特許文献２】実開平６−６１７４４号公報
【発明の開示】
【発明が解決しようとする課題】
【０００５】  本発明は、上記問題を解決することを課題として、キャップ本体と蓋体と両者の合わせ面に設けたヒンジ部より構成し、該ヒンジ部をキャップ本体と蓋体の外筒の合わせ面に、中央のヒンジ片から外方に向かって、蓋体を閉じたときの形状が、断面半円状で外方に膨出し外観が鼓形に広がっている薄肉のヒンジ片を設け、蓋体を閉じたときにパチンと閉まることなく、ソフトにしめることが出来るようにすると共に、外側に断面半円状に膨出しているヒンジ片の外方に突出部を設け、ヒンジ片をガード出来るようにした、合成樹脂製キャップのヒンジ構造を提供することを目的とする。
【課題を解決するための手段】
【０００６】  本発明は、上記の課題を解決するため、キャップ本体と蓋体とヒンジ部とからなる合成樹脂製キャップのヒンジ構造であって、キャップ本体は、円筒状の外筒と注出部とよりなり、蓋体は、キャップ本体と同じ円筒状の外筒と内面に注出部を密閉する突起部とよりなり、ヒンジ部は、キャップ本体と蓋体の外筒の合わせ面に、中央のヒンジ片から外方に向かって、蓋体を閉じたときの形状が、断面半円状で外観が鼓形に広がっている薄肉のヒンジ片とよりなり、外側に断面半円状に膨出しているヒンジ片の外方をガードする突出部を、前記したキャップ本体と蓋体の外筒の合わせ面に設けたことを特徴とする構成を採用する。【０００７】  具体的な実施態様として、上記構成に、ガードする突出部を肉厚に形成し、全体的に角の取れた丸みのある形状に設けたことを特徴とする構成を付加する。
【発明の効果】
【０００８】  本発明の合成樹脂製キャップのヒンジ構造は、キャップ本体と蓋体と両者の合わせ面に設けたヒンジ部より構成し、該ヒンジ部をキャップ本体と蓋体の外筒の合わせ面に、中央のヒンジ片から外方に向かって、蓋体を閉じたときの形状が、断面半円状で外方に膨出し外観が鼓形に広がっている薄肉のヒンジ片を設け、蓋体を閉じたときにパチンと閉まることなく、ソフトに可動し最後は手により閉めることにより、特に卓上及び台所等で使用するときに、キャップ本体と蓋体の合わせ面に付着した内容物が飛散せず洋服等を汚すことがなくなった。【０００９】  また、外側に断面半円状に膨出しているヒンジ片の外方に突出部を設け、ヒンジ片をガード出来るようにしたので、指等の引っ掛かりがなくなり怪我を防止出来るので、より安全性が高く利便になった。
【発明を実施するための最良の形態】
【００１０】  次に、本発明の合成樹脂製キャップのヒンジ構造について説明する。
本ヒンジ構造は、内容物として、マヨネーズ、ケチャップ等の食料品が収納されるもので、以下実施例をあげて説明する。
【実施例】
【００１１】  図１〜４に示すように、本発明の合成樹脂製キャップのヒンジ構造は、キャップ本体１と蓋体２とヒンジ部３より構成されている。【００１２】  キャップ本体１は、円筒状の外筒４と注出部（図示せず）とより形成されている。【００１３】  蓋体２は、キャップ本体１と同じ円筒状の外筒５と内面に注出部を密閉する突起部（図示せず）とより形成されている。【００１４】  ヒンジ部３は、キャップ本体１の外筒４と蓋体２の外筒５の合わせ面６に、中央のヒンジ片７から外方に向かって、蓋体２を閉じたときの形状が、断面半円状で外観が鼓形に広がっている薄肉のヒンジ片８、８とより形成されている。【００１５】外側に断面半円状に膨出している薄肉のヒンジ片８、８の外方をガードする突出部９、１０を前記したキャップ本体１の外筒４と蓋体２の外筒５の合わせ面６にそれぞれ一対、対向形成されている。【００１６】  上記のように形成したので、次のように作用する。
ヒンジ部３が、キャップ本体１の外筒４と蓋体２の外筒５の合わせ面６に、中央のヒンジ片７から外方に向かって、蓋体２を閉じたときの形状が、断面半円状で外観が鼓形に広がっている薄肉のヒンジ片８、８とより形成されており、特にヒンジ片８、８が断面半円状に膨出しているので、蓋を閉めたときパチント閉まることなくスムースに可動し、最後は手で閉めるので、特に卓上及び台所等で使用するときに、キャップ本体と蓋体の合わせ面に付着した内容物が飛散せず洋服等を汚すことがなくなった。【００１７】  また、外側に断面半円状に膨出している薄肉のヒンジ片８、８の外方をガードする突出部９、１０を前記したキャップ本体１の外筒４と蓋体２の外筒５の合わせ面６にそれぞれ一対、対向形成されているので、しっかりとヒンジ片８、８がガードされるので引っ掛ることがなくなり、怪我をすることが防止され安全性が高まった。【００１８】  また、ヒンジ片８、８の外方をガードする突出部９、１０を肉厚に形成し、全体的に角の取れた丸みのある形状に形成されているので、さらに引っ掛かることが全くなくなり、より安全性が高まった。
【産業上の利用可能性】
【００１９】  ヒンジ部をキャップ本体と蓋体の外筒の合わせ面に、中央のヒンジ片から外方に向かって、蓋体を閉じたときの形状が、断面半円状で外方に膨出し外観が鼓形に広がっている薄肉のヒンジ片を設け、さらに、外側に断面半円状に膨出しているヒンジ片の外方に突出部を設けるだけの、簡単な構造により蓋体を閉じたときにパチンと閉まることなく、ソフトに可動し最後は手により閉めることにより、特に卓上及び台所等で使用するときに、キャップ本体と蓋体の合わせ面に付着した内容物が飛散せず洋服等を汚すことなく、且ヒンジ片をガード出来るようにしたので、指等の引っ掛かりがなくなり怪我を防止出来るので、合成樹脂製キャップのヒンジ構造としてより安全性が高く利便性が増したのでより多くの製品として利用できる。
【図面の簡単な説明】
【００２０】
【図１】本発明の合成樹脂製キャップのヒンジ構造の上面図である。
【図２】本発明の合成樹脂製キャップのヒンジ構造の正面図である。
【図３】本発明の合成樹脂製キャップのヒンジ構造の側面図である。
【図４】本発明の合成樹脂製キャップのヒンジ構造のヒンジ部を示した拡大図である。
【符号の説明】
【００２１】１    キャップ本体
２    蓋体
３    ヒンジ部
４、５    外筒
６    合わせ面
７    ヒンジ片
８    薄肉のヒンジ片
９、１０    突出部
【図１】
2006240730.tif 000003
【図２】
2006240730.tif 000004
【図３】
2006240730.tif 000005
【図４】
2006240730.tif 000006